(57)【要約】      （修正有）【課題】強制的にドレンを排出でき、かつ小型化できる熱源機を提供する。【解決手段】熱源機は、エジェクタ５０を備えている。エジェクタ５０は中和器から熱源機の外部にドレンを排出するためのものである。エジェクタ５０は、エジェクタ５０に湯水を導入するための第１の配管部５１と、エジェクタ５０から湯水を排出するための第２の配管部５２と、第１および第２の配管部５１，５２の間に接続され、かつ中和器に接続された第３の配管部５３とを含んでいる。第１の配管部５１は、第３の配管部５３との接続部ＣＰよりも上流側に絞り部５０ａを有する。【選択図】図２
2015218997.tif 000002
【特許請求の範囲】
【請求項１】
燃焼ガスの潜熱を回収可能な熱源機であって、
前記燃焼ガスを供給するための燃焼部と、
前記燃焼部によって供給された前記燃焼ガスの潜熱を回収するための熱交換器と、
前記熱交換器で前記燃焼ガスの潜熱を回収することによって発生したドレンを貯留するためのドレン貯留部と、
前記ドレン貯留部から前記熱源機の外部に前記ドレンを排出するためのエジェクタとを備え、
前記エジェクタは、
前記エジェクタに湯水を導入するための第１の配管部と、
前記エジェクタから湯水を排出するための第２の配管部と、
前記第１および第２の配管部の間に接続され、かつ前記ドレン貯留部に接続された第３の配管部とを含み、
前記第１の配管部は、前記第３の配管部との接続部よりも上流側に絞り部を有する、熱源機。
【請求項２】
前記ドレン貯留部と前記エジェクタとの間に配置された逆流防止弁をさらに備え、
前記逆流防止弁は、前記ドレン貯留部から前記エジェクタへの前記ドレンの流入を許容し、前記エジェクタから前記ドレン貯留部へ前記ドレンの流入を禁止するように構成されている、請求項１に記載の熱源機。
【請求項３】
浴槽に接続可能であって、
水道水が供給される通水回路をさらに備え、
前記通水回路は、弁と、前記弁によって分岐された第１および第２の回路とを含み、
前記第１の回路は前記第１の配管部に接続され、
前記第２の回路は前記浴槽に接続される、請求項１または２に記載の熱源機。
【請求項４】
前記通水回路は、
前記浴槽への注水流量を検知可能な流量検知センサと、
前記流量検知センサによって検知された前記注水流量に基づいて前記浴槽への前記注水流量を制御可能な流量制御弁とをさらに含み、
前記流量制御弁は、前記弁よりも上流側に配置され、かつ前記弁に湯水を供給可能に構成されている、請求項３に記載の熱源機。
【請求項５】
前記通水回路は、前記熱交換器で加熱された湯水を前記エジェクタに供給可能なように構成されている、請求項３または４に記載の熱源機。
【発明の詳細な説明】
【技術分野】
【０００１】
本発明は、熱源機に関し、特に、燃焼ガスの潜熱を回収可能な熱源機に関するものである。
【背景技術】
【０００２】
従来、燃焼ガスの潜熱を回収可能な熱源機（潜熱回収式熱源機）においては、二次熱交換器で発生したドレンが中和器で中和された後に熱源機外に排出される。この際、ドレンは、ドレン貯留器内でのドレンの水頭圧によって熱源機外に排出されたり、ドレンを排出するための専用のポンプによって熱源機外に排出されたりする。たとえば、特開２００５−１２７６４８号公報（特許文献１）には、ドレンがドレン貯留器内のドレンの水頭圧によって排出される温水機器が開示されている。
【先行技術文献】
【特許文献】
【０００３】
【特許文献１】特開２００５−１２７６４８号公報
【発明の概要】
【発明が解決しようとする課題】
【０００４】
上記公報に記載されたように、ドレン貯留器内のドレンの水頭圧によってドレンが排出される場合には、強制的にドレンが排出されないため、ドレンの排出が不十分になるという問題がある。また、ドレンを排出するための専用のポンプによってドレンが排出される場合には、このポンプが可動部を有するため、熱源機が大きくなるという問題がある。
【０００５】
本発明は、上記課題を鑑みてなされたものであり、その目的は、強制的にドレンを排出でき、かつ小型化できる熱源機を提供することである。
【課題を解決するための手段】
【０００６】
本発明の熱源機は、燃焼ガスの潜熱を回収可能なものである。熱源機は、燃焼部と、熱交換器と、ドレン貯留部と、エジェクタとを備えている。燃焼部は燃焼ガスを供給するためのものである。熱交換器は燃焼部によって供給された燃焼ガスの潜熱を回収するためのものである。ドレン貯留部は、熱交換器で燃焼ガスの潜熱を回収することによって発生したドレンを貯留するためのものである。エジェクタはドレン貯留部から熱源機の外部にドレンを排出するためのものである。エジェクタは、エジェクタに湯水を導入するための第１の配管部と、エジェクタから湯水を排出するための第２の配管部と、第１および第２の配管部の間に接続され、かつドレン貯留部に接続された第３の配管部とを含んでいる。第１の配管部は、第３の配管部との接続部よりも上流側に絞り部を有する。
【０００７】
本発明の熱源機によれば、第１の配管部から導入された湯水が絞り部を通って第２の配管部から排出される。この際、絞り部を流れる湯水によって負圧が発生する。この負圧によって、第３の配管部からドレンが引き込まれる。このドレンは第１の配管部から導入された湯水とともに第２の配管部から排出される。このため、負圧によって強制的にドレンを排出することができる。そして、エジェクタは可動部を有していないため、小型化できる。このため、熱源機を小型化できる。
【０００８】
上記の熱源機は、ドレン貯留部とエジェクタとの間に配置された逆流防止弁をさらに備えている。逆流防止弁は、ドレン貯留部からエジェクタへのドレンの流入を許容し、エジェクタからドレン貯留部へドレンの流入を禁止するように構成されている。このため、逆流防止弁によってエジェクタからドレン貯留部にドレンが逆流することを防止できる。
【０００９】
上記の熱源機は、浴槽に接続可能である。熱源機は、水道水が供給される通水回路をさらに備えている。通水回路は、弁と、弁によって分岐された第１および第２の回路とを含んでいる。第１の回路はエジェクタに接続され、第２の回路は浴槽に接続される。このため、水道水の水圧によってエジェクタ内で負圧を発生させることができる。水道水の水圧はポンプによる水圧よりも大きいため、水道水の水圧によってエジェクタ内で負圧を確実に発生させることができる。
【００１０】
上記の熱源機においては、通水回路は、浴槽への注水流量を検知可能な流量検知センサと、流量検知センサによって検知された注水流量に基づいて浴槽への注水流量を制御可能な流量制御弁とをさらに含んでいる。流量制御弁は、弁よりも上流側に配置され、かつ弁に湯水を供給可能に構成されている。このため、通水回路を流れる湯水を所定の流量に保つことができる。これにより、通水回路を流れる湯水の水圧を所定の圧力に保つことができる。
【００１１】
上記の熱源機においては、通水回路は、熱交換器で加熱された湯水をエジェクタに供給可能なように構成されている。このため、熱交換器で加熱された湯水をエジェクタに供給することによって、エジェクタよりも下流側のドレン排出経路の凍結を抑制することができる。
【発明の効果】
【００１２】
以上説明したように、本発明によれば、強制的にドレンを排出でき、かつ小型化できる熱源機を提供することができる。
【図面の簡単な説明】
【００１３】
【図１】本発明の一実施の形態における熱源機の構成を概略的に示す作動原理図である。
【図２】本発明の一実施の形態におけるエジェクタの構成を概略的に示す断面図である。
【図３】本発明の一実施の形態における変形例のエジェクタの構成を概略的に示す斜視図である。
【発明を実施するための形態】
【００１４】
以下、本発明の実施の形態について図に基づいて説明する。
まず、本発明の一実施の形態の熱源機の構成を説明する。本実施の形態の熱源機は燃焼ガスの潜熱を回収可能な潜熱回収式の熱源機である。また、熱源機は浴槽に接続可能に構成されている。
【００１５】
図１を参照して、本実施の形態の熱源機（給湯器）１の概略的な構成について説明する。本実施の形態の熱源機１は、独立した２つの燃焼系統を有している。熱源機１は、具体的には右側に給湯側燃焼系統、左側に風呂・暖房側燃焼系統を有している。さらに、熱源機１は、燃焼に関連する動作を司る制御装置２を有している。
【００１６】
給湯側燃焼系統には、燃料を燃焼して燃焼ガスを生成する給湯側燃焼部７と、その給湯側燃焼部７に燃焼用の空気を送風する公知の送風機９と、湯水あるいは熱媒体が流通し燃焼ガスによって加熱される給湯側熱交換部１１と、給湯流水系統２０とが備えられている。同様に、風呂・暖房側燃焼系統には、風呂・暖房側燃焼部８と、その風呂・暖房側燃焼部８に送風する送風機９と、風呂・暖房側熱交換部１２と、暖房流水系統２１と、追い焚き流水系統２２とが備えられている。また、熱源機１は、風呂・暖房側燃焼系統と給湯側燃焼系統の両方のドレンを受けるドレン排出系統１３を有している。
【００１７】
給湯側燃焼部７および風呂・暖房側燃焼部８の各々は、燃料ガスを燃焼する複数の燃焼部４０が設けられ、燃料ガスを燃焼部４０に至らせる燃料配管４１が接続されている。燃焼部４０に燃焼ガスを供給するためのものである。燃料配管４１には、元ガス電磁弁（燃料用弁）４２、それぞれの燃焼部４０に至る燃料ガスの流通を規制する比例弁（燃料用弁）４３と電磁弁（燃料用弁）４４が設けられている。すなわち、給湯側燃焼部７および風呂・暖房側燃焼部８の各々では、各燃料用弁４２、４３、４４の開閉が制御されて、燃料配管４１を介して供給された燃料ガスが、燃焼部４０で燃焼されて燃焼ガスが生成される。給湯側燃焼部７および風呂・暖房側燃焼部８の各々にはそれぞれ過熱防止装置（ヒューズ）ＨＤが設置されている。過熱防止装置ＨＤは、給湯側燃焼部７および風呂・暖房側燃焼部８の各々の温度が異常に高くなった場合に作動して制御装置２に接続された電気回路を遮断する。
【００１８】
給湯流水系統２０は、給湯側熱交換部１１がその一部を形成するものであり、給水源から供給される湯水を給湯側熱交換部１１に流し、その給湯側熱交換部１１からカラン等に至らせる給湯主流路２３と、給湯側熱交換部１１をバイパスする給湯側バイパス流路２５とを有する。そして、給湯流水系統２０には、給湯側バイパス流路２５を通過する流量を調整する給湯側バイパス流量調整弁（液体用弁）２６と、出湯流量を調整する水量調整弁（液体用弁）２７と、水源から供給される水の入水流量を検出する入水流量センサＩＳと、水源から供給される水の温度（入水温度）を検出する温度センサ（サーミスタ）ＴＳ等が設けられている。なお、熱源機１は、この他にも多数の温度センサを備えている。これらの温度センサは制御装置２に電気的に接続されており、温度センサで検知された温度信号は制御装置２に入力される。
【００１９】
さらに、給湯流水系統２０には、水量調整弁２７から分岐し、湯水を風呂の浴槽６０へと導く風呂落とし込み流路２８が備えられている。そして、この風呂落とし込み流路２８には、浴槽６０への水流を規制する注湯電磁弁（液体用弁）３０と、浴槽側からの水流の逆流を防止する逆流防止機構３１と、浴槽６０に落とし込まれる温水や水の流量（注湯流量）を検出する注湯水量センサＷＳと、三方弁ＴＶ等が設けられている。
【００２０】
水量調整弁２７によって注湯電磁弁３０を経由して浴槽６０に供給される湯水の流量が調整される。注湯電磁弁３０を経由して浴槽６０に供給される湯水の流量は注湯水量センサＷＳにより計測される。このため、注湯水量センサＷＳで湯水の流量が計測されながら水量調整弁２７および注湯電磁弁３０が調整されることで風呂落とし込み流路２８を流れる湯水を所定の流量に保つことができる。これにより、風呂落とし込み流路２８を流れる湯水の水圧を所定の圧力に保つことができる。なお、風呂落とし込み流路２８において注湯電磁弁３０よりも下流側に配置された逆流防止機構３１によって、湯水が逆流防止機構３１よりも上流側に逆流することが防止される。
【００２１】
逆流防止機構３１は、逆流防止弁ＦＶと、逆止弁ＲＶ１，ＲＶ２とを有している。逆流防止弁ＦＶは、上水の給水元側の圧力（１次圧）と供給先側の圧力（２次圧）との圧力差により通常はオーバーフロー口を閉止するものである。逆流防止弁ＦＶは１次圧を導入するために配管ＳＰを通じて給水口に接続され、かつ２次圧を導入するために逆止弁ＲＶ１を通じて注湯電磁弁３０に接続されている。また、逆流防止弁ＦＶは逆止弁ＲＶ２を通じて三方弁ＴＶに接続されている。
【００２２】
また逆流防止弁ＦＶは、断水などで給水元側に負圧が発生すると開弁してオーバーフロー口から雑水を熱源機１の外部へ排出するため、そのオーバーフロー口は配管ＯＰを通じて熱源機１のオーバーフロー排水部に接続されている。
【００２３】
なお、給湯側熱交換部１１は、燃焼ガスの顕熱を回収するための一次熱交換器１１ａと、燃焼ガスの潜熱を回収するための二次熱交換器１１ｂとで構成されている。
【００２４】
給湯流水系統２０は通水回路ＷＣを構成している。通水回路ＷＣは給水口から水道水が供給される。水道水の水圧は、一般的に熱源機１内のポンプによる水圧よりも大きい。通水回路ＷＣは、三方弁（弁）ＴＶと、三方弁ＴＶによって分岐された第１の回路Ｃ１および第２の回路Ｃ２を含んでいる。第１の回路Ｃ１はエジェクタ５０に接続されている。第２の回路Ｃ２は暖房流水系統２１を経由して浴槽６０に接続されている。
【００２５】
通水回路ＷＣは、浴槽６０への注水流量を検知可能な注湯水量センサ（流量検知センサ）ＷＳと、注湯水量センサＷＳによって検知された注水流量に基づいて浴槽６０への注水流量を制御可能な水量調整弁（流量制御弁）２７とを含んでいる。水量調整弁２７は、三方弁ＴＶよりも上流側に配置され、かつ三方弁ＴＶに湯水を供給可能に構成されている。
【００２６】
通水回路ＷＣは、給湯側熱交換部１１で加熱された湯水をエジェクタ５０に供給可能なように構成されている。
【００２７】
本実施の形態の熱源機１は、多数の凍結予防ヒータＦＨを備えている。これらの凍結予防ヒータＦＨは給湯流水系統２０等に設置されており、凍結予防ヒータＦＨによって、給湯流水系統２０等の内部の液体の凍結が予防される。
【００２８】
暖房流水系統（端末循環路）２１は、風呂・暖房側熱交換部１２がその一部を形成するものであり、湯水は、風呂・暖房側熱交換部１２と浴室暖房機等の高温側端末（図示しない）との間を循環する高温端末経路３２と、風呂・暖房側熱交換部１２と床暖房等の低温側端末（図示しない）との間を循環する低温端末経路３３と、高温端末経路３２と低温端末経路３３とを繋ぐ暖房側バイパス流路３４と、追い焚き流水系統２２を流れる湯水を加熱する風呂加熱経路３５とを流通する。
【００２９】
そして、暖房流水系統２１には、湯水の循環流を形成する暖房側ポンプ３６と、湯水の温度変化に起因した体積の膨張に伴う圧力上昇又は収縮に伴う圧力低下を抑制する膨張タンク３７と、湯水を低温側端末に向けて送り出すヘッダ熱動弁（液体用弁）３８と、暖房側バイパス流路３４上に設けられた暖房側バイパス熱動弁（液体用弁）３９と、風呂加熱経路３５への通水を規制する風呂側熱動弁（液体用弁）４５と、追い焚き流水系統２２を流れる湯水との熱交換が行われる液・液熱交換器４６等が設けられている。膨張タンク３７には膨張タンク３７に対する補水の開始／停止を制御する補水制御弁ＳＶが設置されている。
【００３０】
なお、風呂・暖房側熱交換部１２は、燃焼ガスの顕熱を回収するための一次熱交換器１２ａと、燃焼ガスの潜熱を回収するための二次熱交換器１２ｂとで構成されている。
【００３１】
追い焚き流水系統２２は、液・液熱交換器４６がその一部を形成するものであり、液・液熱交換器４６と風呂の浴槽６０との間を浴槽６０内の湯水が循環する追い焚き流路４７を有する。そして、追い焚き流路４７には、湯水の循環流を形成する追い焚き側ポンプ４８と、追い焚き流路４７内の水流の有無を検出する水流スイッチＦＳと、浴槽６０内の湯水の水位を検出する水位センサＨＳ等が設けられている。なお、この追い焚き流路４７には、風呂落とし込み流路２８が接続されている。
【００３２】
ドレン排出系統１３は、燃焼ガスの潜熱を回収する際に発生するドレンを、中和器（ドレン貯留部）１４で中和してから外部に排水する流路である。すなわち、図５に示すように、ドレン排出系統１３は、二次熱交換器１１ｂ、１２ｂから中和器１４に至る中和器導入流路１５と、二次熱交換器１１ｂ，１２ｂで燃焼ガスの潜熱を回収することによって発生したドレンを貯留するための中和器１４と、中和器１４より下流側の外部排出流路１６とで構成されている。
【００３３】
外部排出流路１６は、エジェクタ５０と、逆流防止弁５４と、排出管５５とを有している。エジェクタ５０のドレン排出系統１３の上流側に逆流防止弁５４が配置されている。つまり、中和器１４とエジェクタ５０との間に逆流防止弁５４が配置されている。逆流防止弁５４は、中和器１４からエジェクタ５０へのドレンの流入を許容し、エジェクタ５０から中和器１４へドレンの流入を禁止するように構成されている。
【００３４】
また、エジェクタ５０のドレン排出系統１３の下流側に排出管５５が配置されている。排出管５５からドレンが熱源機１外に排出される。
【００３５】
図２を参照して、エジェクタ５０は、第１の配管部５１と、第２の配管部５２と、第３の配管部５３とを有している。第１の配管部５１は、エジェクタ５０に湯水を導入するためのものである。第１の配管部５１は通水回路ＷＣの上流側に接続されている。第１の配管部５１は第１の回路Ｃ１に接続されている。
【００３６】
第２の配管部５２は、エジェクタ５０から湯水を排出するためのものである。第２の配管部５２は通水回路ＷＣの下流側に接続されている。第２の配管部５２は排出管５５に接続されている。
【００３７】
第３の配管部５３は、第１の配管部５１および第２の配管部５２の間に接続されている。第３の配管部５３は、中和器１４に接続されている。第１の配管部５１は、第３の配管部５３との接続部ＣＰよりも上流側に絞り部５０ａを有している。絞り部５０ａはテーパ形状を有しており、下流に向かって内径が小さくなるように構成されている。絞り部５０ａは第２の配管部５２側に向かって内径が小さくなるように構成されている。
【００３８】
このため、エジェクタ５０では、第１の配管部５１から第２の配管部５２に向かって絞り部５０ａを流れる湯水によって負圧が発生する。この負圧によって第３の配管部５３からドレンがエジェクタ５０内に引き込まれる。そして、エジェクタ５０内に引き込まれたドレンは湯水とともにエジェクタ５０の外部に流出する。
【００３９】
続いて、図１を参照して、本実施の形態の熱源機１の基本的動作について説明する。
熱源機１の基本的動作は、給湯運転、暖房運転、並びに、風呂落とし込みや追い焚き運転があり、いずれも公知のそれと同様である。
【００４０】
給湯運転は、カラン等が操作されて、出湯要求があれば、給湯側燃焼部７で生成された燃焼ガスで給湯側熱交換部１１が加熱され、所望の温度の湯がカラン等から出湯される。暖房運転は、風呂の浴室暖房等（高温側端末）に高温の湯を循環させる高温暖房運転と、床暖房機器等（低温側端末）に低温の湯（高温側端末に循環する湯水の温度よりも低温）を循環させる低温暖房運転がある。すなわち、高温暖房運転では、風呂・暖房側燃焼部８で生成された燃焼ガスで風呂・暖房側熱交換部１２が加熱されて、高温端末経路３２を介して高温側端末に高温の湯水が循環され、低温暖房運転では、風呂・暖房側燃焼部８で生成された燃焼ガスで風呂・暖房側熱交換部１２が加熱されて、低温端末経路３３を介して低温側端末に低温の湯が循環される。
【００４１】
追い焚き運転は、浴槽内の湯水の温度が所定温度以下であったり、リモコン等による追い焚き運転の要求があれば、液・液熱交換器４６を介して、浴槽内の湯水を設定温度に至るまで加熱する。より具体的には、本実施の形態の追い焚き運転は、風呂・暖房側燃焼部８で生成された燃焼ガスで風呂・暖房側熱交換部１２が加熱され、その熱が暖房流水系統２１を介して間接的に追い焚き流路４７に伝わり、浴槽６０内の湯水を加熱している。風呂落とし込み運転は、出湯要求の方法が異なる（リモコン等を介した要求）だけであり、給湯運転とほぼ同様の動作が実施されるため、説明を省略する。
【００４２】
次に、図１および図２を参照して、ドレンの排出動作について説明する。
中和器１４内に挿入された高水位電極Ｈがドレンに導通することで高水位電極ＨがＯＮ状態となると、三方弁ＴＶがドレン排水経路である第１の回路Ｃ１に切り替えられる。そして、注湯電磁弁３０が開弁される。この際、水量調整弁２７および注湯水量センサＷＳによって湯水の流量が所定の流量に保たれる。湯水が第１の配管部５１から第２の配管部５２に流れることにより絞り部５０ａで負圧が発生する。この負圧によって中和器１４内のドレンが第３の配管部５３に引き込まれる。このドレンは湯水とともにエジェクタ５０の外部に排出される。中和器１４内からドレンが排出されて、中和器１４内に挿入された低水位電極Ｌがドレンに導通しないことで低水位電極ＬがＯＦＦ状態になると、三方弁ＴＶがふろ回路である第２の回路Ｃ２に切り替えられる。そして、注湯電磁弁３０が閉弁される。
【００４３】
次に、図３を参照して、本実施の形態の変形例のエジェクタ５０について説明する。
変形例のエジェクタ５０は、エジェクタ５０の軸線方向に第１の配管部５１が延びており、軸線方向に交差する方向に第２の配管部５２および第３の配管部５３が直線状に延びている。また、エジェクタ５０は軸線方向と交差し、第１の配管部５１に連通する第４の配管部５６を有している。エジェクタ５０はモータ７０に接続されており、このモータ７０によって、エジェクタ５０は、軸線方向を中心に周方向に回転するように構成されている。
【００４４】
図３に示す状態では、第２の配管部５２が排出管５５に連通しており、第３の配管部５３が外部排出流路１６に連通している。このため、風呂落とし込み流路２８を経由して第１の配管部５１からエジェクタ５０内に流入した湯水は絞り部５０ａを通って第２の配管部５２から排出管５５に流れる。湯水が絞り部５０ａを流れることで発生した負圧によって外部排出流路１６内のドレンが第３の配管部５３からエジェクタ５０内に引き込まれる。
【００４５】
図３に示す状態からエジェクタ５０が軸線方向を中心に周方向に略９０度回転すると、第４の配管部５６がふろ回路に連通する。このため、風呂落とし込み流路２８を経由して第１の配管部５１からエジェクタ５０内に流入した湯水は第４の配管部５６を通ってふろ回路に流れる。
【００４６】
なお、この状態では第２の配管部５２は排出管５５に連通しておらず、第３の配管部５３は外部排出流路１６に連通していない。このため、湯水およびドレンは第２の配管部５２を通って排出管５５に流れない。
【００４７】
変形例のエジェクタ５０では、エジェクタ５０を軸線方向を中心に周方向に回転させることで、排出管５５への湯水およびドレンの排出と、ふろ配管への湯水の排出を切り替えることができる。このため、変形例のエジェクタ５０が用いられると、上記の実施の形態の三方弁ＴＶが不要となる。
【００４８】
次に、本実施の形態の熱源機の作用効果について説明する。
本実施の形態の熱源機１によれば、第１の配管部５１から導入された湯水が絞り部５０ａを通って第２の配管部５２から排出される。この際、絞り部５０ａを流れる湯水によって負圧が発生する。この負圧によって、第３の配管部５３からドレンが引き込まれる。このドレンは第１の配管部５１から導入された湯水とともに第２の配管部５２から排出される。このため、負圧によって強制的にドレンを排出することができる。そして、エジェクタ５０は可動部を有していないため、小型化できる。このため、熱源機１を小型化できる。また、熱源機１の生産コストを低減できる。
【００４９】
本実施の形態の熱源機１は、逆流防止弁５４によってエジェクタ５０から中和器にドレンが逆流することを防止できる。たとえば、排出管５５が中和器１４よりも高い位置に設置された場合に、排出管５５の残水が中和器１４に逆流することを逆流防止弁５４によって防止できる。また、エジェクタ５０に流入する湯水が所定の流量とならないためにエジェクタ５０で負圧が発生しない場合に、ドレンが中和器１４に逆流することを逆流防止弁５４によって防止できる。
【００５０】
本実施の形態の熱源機１は、通水回路ＷＣに水道水が供給されるため、水道水の水圧によってエジェクタ５０内で負圧を発生させることができる。水道水の水圧はポンプによる水圧よりも大きいため、水道水の水圧によってエジェクタ５０内で負圧を確実に発生させることができる。また、仮に中和器１４内に収容された中和材が減って中和性能が十分でなくなったとしても、水道水でドレンが希釈されることにより強酸によるリスクが低減される。
【００５１】
本実施の形態の熱源機１においては、注湯水量センサ（流量検知センサ）ＷＳおよび水量調整弁（流量制御弁）２７によって、通水回路ＷＣを流れる湯水を所定の流量に保つことができる。これにより、通水回路ＷＣを流れる湯水の水圧を所定の圧力に保つことができる。
【００５２】
本実施の形態の熱源機においては、二次熱交換器１１ｂで加熱された湯水をエジェクタ５０に供給することによって、エジェクタ５０よりも下流側のドレン排出経路の凍結を抑制することができる。
【００５３】
なお、本実施の形態の熱源機では、エジェクタ５０に冷水を流してもよい。そして、凍結防止用の雰囲気サーミスタが所定温度以下の場合だけエジェクタ５０に加熱された湯水を流せばよい。
【００５４】
なお、上記では本実施の形態の熱源機のドレン貯留部の一例として、中和器１４について説明したが、本実施の形態のドレン貯留部は中和器１４に限定されず、ドレンタンクなどであってもよい。
【００５５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５６】
１  熱源機、２  制御装置、７  給湯側燃焼部、８  暖房側燃焼部、９  送風機、１１  給湯側熱交換部、１１ａ，１２ａ  一次熱交換器、１１ｂ，１２ｂ  二次熱交換器、１２  暖房側熱交換部、１３  ドレン排出系統、１４  中和器、１５  中和器導入流路、１６  外部排出流路、２０  給湯流水系統、２１  暖房流水系統、２２  追い焚き流水系統、２３  給湯主流路、２５  給湯側バイパス流路、２７  水量調整弁、２８  風呂落とし込み流路、３０  注湯電磁弁、３１  逆流防止機構、３２  高温端末経路、３３  低温端末経路、３４  暖房側バイパス流路、３５  風呂加熱経路、３６  暖房側ポンプ、３７  膨張タンク、４０  燃焼部、４１  燃料配管、４２  燃料用弁、４６  液・液熱交換器、４７  追い焚き流路、４８  追い焚き側ポンプ、５０  エジェクタ、５０ａ  絞り部、５１  第１の配管部、５２  第２の配管部、５３  第３の配管部、５４  逆流防止弁、５５  排出管、５６  第４の配管部、６０  浴槽、７０  モータ、Ｃ１  第１の回路、Ｃ２  第２の回路、ＦＨ  凍結予防ヒータ、ＦＳ  水流スイッチ、ＦＶ  逆流防止弁、Ｈ  高水位電極、ＨＤ  過熱防止装置、ＩＳ  入水流量センサ、Ｌ  低水位電極、ＯＰ，ＳＰ  配管、ＲＶ１，ＲＶ２  逆止弁、ＳＶ  補水制御弁、ＴＶ  三方弁、ＷＣ  通水回路、ＷＳ  湯水量センサ。
【図１】
2015218997.tif 000003
【図２】
2015218997.tif 000004
【図３】
2015218997.tif 000005